(57)【要約】    【課題】本発明の課題は、災害時に、容易に自動販売機の電源を切替え、商品を無償提供することができる自動販売機を提供することである。を提供することにある。    【解決手段】携帯電話と、自動販売機と、自動販売機を管理するセンタ装置とが通信手段により通信可能に構成された自動販売機において、商用電源からの給電の他に停電時に給電を行う無停電電源装置と、停電による商用電源停止時に、商用電源側から無停電電源装置側へ切り替える切替手段とを備え、携帯電話からセンタ装置にアクセスすることにより、切替手段を操作可能な認証キーを携帯電話にて取得し、該携帯電話と自動販売機との間で通信することで、切替手段を無停電電源装置側へ切り替えることを特徴とする。【選択図】      図１
2009110465.tif 000002
【特許請求の範囲】
【請求項１】
携帯電話と、自動販売機と、自動販売機を管理するセンタ装置とが通信手段により通信可能に構成された自動販売機において、
商用電源からの給電の他に停電時に給電を行う無停電電源装置と、
停電による商用電源停止時に、商用電源側から無停電電源装置側へ切り替える切替手段とを備え、
携帯電話からセンタ装置にアクセスすることにより、切替手段を操作可能な認証キーを携帯電話にて取得し、
該携帯電話と自動販売機との間で通信することで、切替手段を無停電電源装置側へ切り替える制御手段を備えたこと特徴とする自動販売機。
【請求項２】
請求項１記載の自動販売機において、センタ装置にて認証キーの配布期間あるいは配布する自動販売機を設定すること特徴とする自動販売機。
【請求項３】
請求項１または２に記載の自動販売機において、携帯電話からセンタ装置へのアクセス時には、自動販売機の固有番号を入力すること特徴とする自動販売機。
【発明の詳細な説明】
【技術分野】
【０００１】
本発明は、大規模地震などの災害で商用電源が停電した際に、商品を無償で提供できる自動販売機に関する。
【背景技術】
【０００２】
従来の災害対策用の自動販売機の販売方式としては、以下の販売方式が知られている。
自動販売機が、大規模地震などの災害によって停電となり、自動販売機への給電が商用電源から断たれると、管理者が所有しているキーにより、自動販売機前面に設けられている電源切換スイッチを操作する。この電源切換スイッチを操作することにより、無停電電源装置側に切り換わり、自動販売機への給電が行われる（例えば、特許文献１）。
【特許文献１】特開２００６−１９５９５０号公報
【発明の開示】
【発明が解決しようとする課題】
【０００３】
ところで、上記方式では、管理者がキースイッチにて行わなければならず、１台の自動販売機のみを管理している場合にはよいが、設置場所の異なる複数台の自動販売機を管理している場合などは、複数の設置場所まで出向く必要があり、また、大規模災害の場合には、交通インフラも遮断されている可能性もあるため、飲料を必要とする場所にすぐに対応できないという問題があった。
本発明は、上記課題に鑑み、停電時に、自動販売機から商品を搬出させたい時点で無停電電源装置側からの給電に切り替えることができる自動販売機を提供することを目的とする。
【課題を解決するための手段】
【０００４】
本課題を解決するために、本発明は、携帯電話と、自動販売機と、自動販売機を管理するセンタ装置とが通信手段により通信可能に構成された自動販売機において、商用電源からの給電の他に停電時に給電を行う無停電電源装置と、停電による商用電源停止時に、商用電源側から無停電電源装置側へ切り替える切替手段とを備え、携帯電話からセンタ装置にアクセスすることにより、切替手段を操作可能な認証キーを携帯電話にて取得し、該携帯電話と自動販売機との間で通信することで、切替手段を無停電電源装置側へ切り替える制御手段を備えたものである。
また、センタ装置にて認証キーの配布期間あるいは配布する自動販売機を設定する。
さらに、携帯電話からセンタ装置へのアクセス時には、自動販売機の固有番号を入力すること特徴とする。
【発明の効果】
【０００５】
本発明は、災害時に被災者でも携帯電話によりセンタ装置にアクセスすることで、無停電電源装置側からの給電に切り替えることができ、飲料などの商品が必要な段階で、自動販売機内の商品を無償で提供できる。
また、センタ装置側で有効期間などを設定することで、通常状態でアクセスされ、無停電電源装置側に切替、無償提供されるというに悪戯も防止できる。
【発明を実施するための最良の形態】
【０００６】
以下に、本発明の他実施の形態を示す図１ないし図３を用いて説明する。
まず、図３は、本発明の対象となる自動販売機の概略正面図の一例を示すものであり、自動販売機１は、その本体キャビネット前面に外扉２０を備えており、本体キャビネット内には複数（ｎ個）のコラムを備えている。このコラムは、例えばサーペンタイン式のラックから成るもので、複数種類の商品を個別に収納する一方、商品選択ボタン２２が押され、販売指令が与えられた場合に押された商品選択ボタン２２に対応する商品の搬出を行う。
外扉２０には、その表面側に商品見本展示室２１、販売可能ランプおよび売切ランプを内蔵する商品選択ボタン２２、硬貨投入口２３、返却レバー２４、金額表示器２５、硬貨返却口２６、商品取出口２７が設けられている。
商品見本展示室２１は、外扉２０の上部に構成した透明の窓であり、内部に配列した商品見本２１ａを外部に視認させることが可能である。商品見本展示室を通じて視認される商品見本２１ａは、それぞれコラムに収納した商品を現し、商品選択ボタン２２と対応して設けられている。
このような自動販売機に対し、本発明において、外扉２０に新たに赤外線通信部２８を設け、携帯電話３１との間で赤外線通信を使用して通信を行うものである。
【０００７】
次に、図１は、本発明の一実施の形態を示す概略ブロック図である。
２は自動販売機全体を制御し、制御プログラムを記憶するメモリ２ａおよび各種データを記憶するメモリ２ｂを備える主制御部である。
この主制御部２には、必要なデータを入力するリモコン３、硬貨の受入、演算を行う硬貨処理部４、冷熱装置５ａを制御する冷熱制御部５、商品を搬出する搬出装置６ａを制御する搬出制御部６、蛍光灯などの照明装置７ａを制御する照明制御部７、商用電源８、商用電源が使用できない時に使用する蓄電池としての無停電電源装置９、商用電源８と無停電電源装置９とを切り替えるため操作手段を含む電源切替部３０が接続され、また、商品選択ボタン２２、金額表示器２５もそれぞれ接続されており、商用電源８、無停電電源装置９共に１００■の電源に
接続されており、無停電電源装置９は常時、充電状態にある。
次に、電源切替部３０には、上記赤外線通信部２８が接続されており、赤外線通信部２８からの信号により電源切替部３０を動作させる。
次に、センタ装置４０は、複数の自動販売機を管理するものであり、このセンタ装置４０にて、自動販売機の商品を無償提供、無停電電源装置側に切り替えための認証キーを配布するもので、携帯電話３１から通信回線５０を介したアクセスにより配布するものであり、また、配布期間なども設定できるようにして悪戯によるアクセスも防止する。
【０００８】
このセンタ装置４０の携帯電話３１のアクセスは、自動販売機１の外扉２０の前面にＱＲコード２９などを明示しておき、このＱＲコード２９を携帯電話３１によって読み取り、通信回線５０を介してセンタ装置４０にアクセス可能とし、また、認証キーを得るためには、外扉２０に記載されている自動販売機の固有番号を入力し、センタ装置４０にて対象の自動販売機であるか判定する。
次に、図３のフローチャートに基づき、停電時の処理について説明する。
まず、大規模地震などの災害によって停電となり、自動販売機１への商用電源８からの給電が断たれたものとする。
当該自動販売機１が災害時対応の自動販売機１であるとすると、管理者ではなく、被災者が、自動販売機１の外扉２０に貼り付けられているＱＲコード２９を携帯電話３１にて読み取り（ステップＳ１，Ｙｅｓ）、通信回線５０を介してセンタ装置４０へアクセスする（ステップＳ２，Ｙｅｓ）。
ここで、センタ装置４０との通信が接続されると、所定のフォーマットに基づき、自動販売機１に予め割り付けられている固有番号を携帯電話３１から入力すると（ステップＳ３）、センタ装置４０では、当該自動販売機１が災害時対応の有効期間となっている判定すると（ステップＳ４，Ｙｅｓ）、通信回線５０を介して認証キーを携帯電話３１に送信する（ステップＳ５）。
【０００９】
次に、携帯電話３１に認証キーが送信されると、この携帯電話３１を自動販売機１の赤外線通信部２８に近づける。
このように、自動販売機１と携帯電話との通信には赤外線通信部２８による赤外線通信を使用し、この赤外線通信により自動販売機１と携帯電話３１とが通信可能状態となり（ステップＳ６）、携帯電話３１から認証キーを自動販売機１側に送信する（ステップＳ７）。
次に、この認証キーが当該自動販売機１のものであれば、正規認証の判定を行い（ステップＳ８，Ｙｅｓ）、電源切替部３０により商用電源８から無停電電源装置９側に切り替え（ステップＳ９）、自動販売機１は無停電電源装置９から給電されるようになる。
この無停電電源装置９からの給電は、商品搬出に必要な機能のみに限定して給電され（ステップＳ１０）、例えば、硬貨処理部４および金額表示器２５への給電停止、および冷熱制御部５，照明制御部７を介して冷熱装置５ａ，照明装置７ａへの給電を停止して、災害時の無料単品販売としての最低条件の機能である商品選択ボタン２２と搬出装置６ａとに給電するようにして消費電力を抑える。
この状態で商品選択ボタン２２を押すと（ステップＳ１１）、搬出制御部６から搬出装置６ａに対して商品の６搬出指令が出され、対応するコラムから収納されている商品を商品取出口２８へ搬出する（ステップＳ１２）。
【００１０】
このように、本実施の形態においては、管理者ではなくても、被災者が携帯電話３１を使用することで、災害時に自動販売機への給電並びに商品の無償提供が可能となる。
上記実施の形態の他に、以下の方式も考えられる。
まず、赤外線通信部２８は、電池駆動のため、例えば、自動販売機１の外扉２０に設けられている操作部である返却レバー２４を操作したときのみ、赤外線通信が使用可能となるようにして、電池の消耗を防ぐようにしてもよい。なお、操作部としては、返却レバー２４のほか、商品選択ボタン２２を用いてもよい。
また、商品電源８から自動販売機１に対して給電が行われているときには、赤外線送信による電源切替部３０が作動しないようにする。これは、認証キーの配布期間中ではあるが、既に商用電源８が復帰しているときには、無停電電源装置９に切り替わらないようにするためである。
さらに、商品電源８が復帰した場合には、商品の無償提供を中止することも可能である
なお、携帯電話３１から自動販売機１への指令として、被災状況に合わせて、以下の指令も考えられる。
すなわち、商用電源８の復帰時に、商品の無償提供を中止するようにしているが、被災状況の規模によっては、商用電源８が復帰しても、商品の無償提供は可能にすることも考えられ、また、無停電電源装置９の給電のみで商品有償（割引）も考えられる。
【図面の簡単な説明】
【００１１】
【図１】本発明の一実施の形態である制御装置を示す構成ブロック図
【図２】本発明の一実施の形態である動作を示すフローチャート図
【図３】本発明の対象となる自動販売機の概略正面図
【符号の説明】
【００１２】
１          自動販売機
２          主制御部
８          商用電源
９          無停電電源装置
２０        外扉
２２        商品選択ボタン
２８        赤外線通信部
２９        ＱＲコード
３０        電源切替部
３１        携帯電話
４０        センタ装置
５０        通信回線
【図１】
2009110465.tif 000003
【図２】
2009110465.tif 000004
【図３】
2009110465.tif 000005